【手続補正書】
【提出日】平成16年3月19日(2004.3.19)
【手続補正１】
【補正対象書類名】明細書
【補正対象項目名】特許請求の範囲
【補正方法】変更
【補正の内容】
【特許請求の範囲】
【請求項１】
１つのセクタ内において複数領域に格納された記録データと、各記録データの読み出し動作を制御するための制御信号と、各記録データに対応して格納されているシンクバイトとを記録媒体から読み出して該記録データに基づいて原データを再生する記録データ再生方法であって、
第一のシンクバイトを検出したときに生成されるシンクバイト検出信号に基づいて、後に読み出される第二のシンクバイトに対応する制御信号の再生処理を停止することを特徴とする記録データ再生方法。
【請求項２】
１つのセクタ内において複数領域に格納された記録データと、各記録データの読み出し動作を制御するための制御信号と、各記録データに対応して格納されているシンクバイトとを記録媒体から読み出してデータ再生処理部にてクロック信号に基づいて、該記録データから原データを再生する記録データ再生方法であって、
第一のシンクバイトを検出したとき生成されるシンクバイト検出信号に基づいて、該第一のシンクバイトに対応する第一の記録データの出力終了から後続の第二のシンクバイトに対応する第二の記録データの出力開始まで、前記クロック信号の前記データ再生処理部への入力を停止することを特徴とする記録データ再生方法。
【請求項３】
前記第一のシンクバイト又は第二のシンクバイトの何れかを検出できなかった場合には、検出できなかったシンクバイトに対応する記録データの原データを、検出できたシンクバイトに対応する記録データに基づいて再生することを特徴とする請求項１又は２記載の記録データ再生方法。
【請求項４】
前記第一のシンクバイト及び第二のシンクバイトは、それぞれ対応するウィンドウ信号に基づいて検出されることを特徴とする請求項１、請求項２又は請求項３記載の記録データ再生方法。
【請求項５】
１つのセクタ内において複数領域に格納された記録データと、各記録データの読み出し動作を制御するための制御信号と、各記録データに対応して格納されているシンクバイトとを、記録媒体から読み出し信号として読み出して出力するデータ読み出し装置と、
前記読み出し信号を取り込んで、記録データから原データを再生するデータ再生装置とを備えた記録データ再生装置であって、
前記データ読み出し装置は、第一のシンクバイトを検出したときに生成されるシンクバイト検出信号に基づいて、後に読み出される第二のシンクバイトに対応する制御信号の再生処理を停止することを特徴とする記録データ再生装置。
【請求項６】
１つのセクタ内において複数領域に格納された記録データと、各記録データの読み出し動作を制御するための制御信号と、各記録データに対応して格納されているシンクバイトとを、記録媒体から読み出し信号として読み出してクロック信号とともに出力するデータ読み出し装置と、
前記クロック信号に基づいて前記読み出し信号を取り込んで、前記記録データから原データを再生するデータ再生装置と
を備えた記録データ再生装置であって、
前記データ読み出し装置は、第一のシンクバイトを検出したことを示す第一のシンクバイト検出信号に基づいて、第一のシンクバイトに対応する記録データの出力終了から後続の第二のシンクバイトに対応する記録データの出力開始まで、前記クロック信号の出力を停止することを特徴とする記録データ再生装置。
【請求項７】
前記第一のシンクバイト又は前記第二のシンクバイトの何れかを検出できなかった場合には、検出できなかったシンクバイトに対応する記録データの原データを、検出できたシンクバイトに対応する記録データに基づいて再生することを特徴とする請求項５又は６記載の記録データ再生装置。
【請求項８】
前記第一のシンクバイト及び第二のシンクバイトは、それぞれ対応するウインドウ信号に基づいて検出されることを特徴とする請求項５、請求項６又は請求項７記載の記録データ再生装置。
【手続補正２】
【補正対象書類名】明細書
【補正対象項目名】００１２
【補正方法】変更
【補正の内容】
【００１２】
【課題を解決するための手段】
上記目的は、つのセクタ内において複数領域に格納された記録データと、各記録データの読み出し動作を制御するための制御信号と、各記録データに対応して格納されているシンクバイトとを記録媒体から読み出して該記録データに基づいて原データを再生し、第一のシンクバイトを検出したときに生成されるシンクバイト検出信号に基づいて、後に読み出される第二のシンクバイトに対応する制御信号の再生処理を停止する記録データ再生方法により達成される。
【手続補正３】
【補正対象書類名】明細書
【補正対象項目名】００１３
【補正方法】変更
【補正の内容】
【００１３】
上記目的は、１つのセクタ内において複数領域に格納された記録データと、各記録データの読み出し動作を制御するための制御信号と、各記録データに対応して格納されているシンクバイトとを記録媒体から読み出してデータ再生処理部にてクロック信号に基づいて、該記録データから原データを再生し、第一のシンクバイトを検出したとき生成されるシンクバイト検出信号に基づいて、該第一のシンクバイトに対応する第一の記録データの出力終了から後続の第二のシンクバイトに対応する第二の記録データの出力開始まで、前記クロック信号の前記データ再生処理部への入力を停止する記録データ再生方法により達成される。
【手続補正４】
【補正対象書類名】明細書
【補正対象項目名】００１４
【補正方法】変更
【補正の内容】
【００１４】
上記目的は、１つのセクタ内において複数領域に格納された記録データと、各記録データの読み出し動作を制御するための制御信号と、各記録データに対応して格納されているシンクバイトとを、記録媒体から読み出し信号として読み出して出力するデータ読み出し装置と、前記読み出し信号を取り込んで、記録データから原データを再生するデータ再生装置とを備えた記録データ再生装置でにおいて、前記データ読み出し装置は、第一のシンクバイトを検出したときに生成されるシンクバイト検出信号に基づいて、後に読み出される第二のシンクバイトに対応する制御信号の再生処理を停止する記録データ再生装置により達成される。
【手続補正５】
【補正対象書類名】明細書
【補正対象項目名】００１５
【補正方法】変更
【補正の内容】
【００１５】
上記目的は、１つのセクタ内において複数領域に格納された記録データと、各記録データの読み出し動作を制御するための制御信号と、各記録データに対応して格納されているシンクバイトとを、記録媒体から読み出し信号として読み出してクロック信号とともに出力するデータ読み出し装置と、前記クロック信号に基づいて前記読み出し信号を取り込んで、前記記録データから原データを再生するデータ再生装置とを備えた記録データ再生装置において、前記データ読み出し装置は、第一のシンクバイトを検出したことを示す第一のシンクバイト検出信号に基づいて、第一のシンクバイトに対応する記録データの出力終了から後続の第二のシンクバイトに対応する記録データの出力開始まで、前記クロック信号の出力を停止する記録データ再生装置により達成される。
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】変更
【補正の内容】
【００１７】
（作用）
第一のシンクバイトを検出したとき、後に読み出される第二のシンクバイトに対応する制御信号の再生処理が停止される。
【手続補正８】
【補正対象書類名】明細書
【補正対象項目名】００１８
【補正方法】変更
【補正の内容】
【００１８】
第一のシンクバイトを検出したとき生成されるシンクバイト検出信号に基づいて、該第一のシンクバイトに対応する第一の記録データの出力終了から後続の第二のシンクバイトに対応する第二の記録データの出力開始まで、前記クロック信号の前記データ再生処理部への入力が停止される。
【手続補正９】
【補正対象書類名】明細書
【補正対象項目名】００１９
【補正方法】削除
【補正の内容】
【手続補正１０】
【補正対象書類名】明細書
【補正対象項目名】００２７
【補正方法】変更
【補正の内容】
【００２７】
前記Ａ／Ｄ変換部１３の出力信号は、ＰＬＬ回路２０に入力される。前記ＰＬＬ回路２０は、Ａ／Ｄ変換部１３の出力信号に同期した周波数の内部クロック信号ＣＫを生成して、前記Ａ／Ｄ変換部１３、復号回路１４、シンクバイト検出部１５、シリアル−パラレル変換部１８及びデータ処理部１９に出力し、各回路は内部クロック信号ＣＫに基づいて同期して動作する。


【手続補正１１】
【補正対象書類名】明細書
【補正対象項目名】００３２
【補正方法】変更
【補正の内容】
【００３２】
前記第一及び第二のシンクバイト検出信号ＣＳＢ１，ＣＳＢ２は、カウンター部２３に出力される。前記カウンター部２３は、シンクバイト検出信号ＣＳＢ１，ＣＳＢ２の入力に基づいて内部クロック信号ＣＫのカウント動作を開始して、所定のカウントアップ信号ＣＵを前記データ処理部１９に出力する。


【手続補正１２】
【補正対象書類名】明細書
【補正対象項目名】００３５
【補正方法】変更
【補正の内容】
【００３５】
データ処理部１９は、入力される読み出し信号ＲＤのうち、記録データＤＡＴＡ１，ＤＡＴＡ２以外は「００ｈ」として出力する。
シンクバイト検出部１５は、入力されるウィンドウ信号Ｗ１がＨレベルである間に、読み出し信号ＲＤからシンクバイトＳＢ１を検出すると、そのシンクバイトＳＢ１の検出終了と同時にＨレベルとなる第一のシンクバイト検出信号ＣＳＢ１を出力する。


【手続補正１３】
【補正対象書類名】明細書
【補正対象項目名】００３６
【補正方法】変更
【補正の内容】
【００３６】
第一のシンクバイト検出信号ＣＳＢ１が出力されると、カウンター部２３では内部クロック信号ＣＫのカウント動作を開始し、データ処理部１９からの記録データＤＡＴＡ１の出力終了に同期して、第一のカウントアップ信号ＣＵをデータ処理部１９に出力する。すると、データ処理部１９からの出力クロック信号ＣＫＯの出力が停止される。


【手続補正１４】
【補正対象書類名】明細書
【補正対象項目名】００３７
【補正方法】変更
【補正の内容】
【００３７】
次いで、シンクバイト検出部１５は、入力されるウィンドウ信号Ｗ２がＨレベルである間に、読み出し信号ＲＤからシンクバイトＳＢ２を検出すると、そのシンクバイトＳＢ２の検出終了と同時にＨレベルとなる第二のシンクバイト検出信号ＣＳＢ２を出力する。


【手続補正１５】
【補正対象書類名】明細書
【補正対象項目名】００４１
【補正方法】変更
【補正の内容】
【００４１】
図３は、シンクバイト検出部１５でシンクバイトＳＢ２を検出できなかった場合を示す。入力されるウィンドウ信号Ｗ２がＨレベルである間に、シンクバイト検出部１５において、読み出し信号ＲＤからシンクバイトＳＢ２を検出不能であると、第二のシンクバイト検出信号ＣＳＢ２は出力されない。


【手続補正１６】
【補正対象書類名】明細書
【補正対象項目名】００４３
【補正方法】変更
【補正の内容】
【００４３】
図４は、シンクバイト検出部１５でシンクバイトＳＢ１を検出できなかった場合を示す。入力されるウィンドウ信号Ｗ１がＨレベルである間に、シンクバイト検出部１５において、読み出し信号ＲＤからシンクバイトＳＢ１を検出不能であると、第一のシンクバイト検出信号ＣＳＢ１は出力されない。


【手続補正１７】
【補正対象書類名】明細書
【補正対象項目名】００４４
【補正方法】変更
【補正の内容】
【００４４】
また、シンクバイト検出部１５は、入力されるウィンドウ信号Ｗ２がＨレベルである間に、読み出し信号ＲＤからシンクバイトＳＢ２を検出すると、そのシンクバイトＳＢ２の検出終了と同時にＨレベルとなる第二のシンクバイト検出信号ＣＳＢ２を出力する。


【手続補正１８】
【補正対象書類名】明細書
【補正対象項目名】００４６
【補正方法】変更
【補正の内容】
【００４６】
すると、データ再生処理部２２では、第二のシンクバイト検出信号ＣＳＢ２のみが入力されていることから、記録データＤＡＴＡ１が入力されていないことを認識し、記録データＤＡＴＡ２とＥＣＣコードとに基づいて、記録データＤＡＴＡ１に対応する原データを復元する。記録データＤＡＴＡ１の復元を高速に行うためには、記録データＤＡＴＡ１のデータ量を記録データＤＡＴＡ２に比して少なくするとよい。


【手続補正１９】
【補正対象書類名】明細書
【補正対象項目名】００４８
【補正方法】変更
【補正の内容】
【００４８】
このような動作を行うために、カウンター部２３は第一のシンクバイト検出信号ＣＳＢ１の入力に基づいて、カウント開始信号をデータ処理部１９に出力するように構成し、データ処理部１９ではそのカウント開始信号に基づいて出力クロック信号ＣＫＯを出力するように構成する。


【手続補正２０】
【補正対象書類名】明細書
【補正対象項目名】００５２
【補正方法】変更
【補正の内容】
【００５２】
図６は、前記第一及び第二のシンクバイト検出信号ＣＳＢ１，ＣＳＢ２に基づいて、データ処理部１９で記録データＤＡＴＡ１，ＤＡＴＡ２のデスクランブル動作を行うためのデスクランブル信号ＤＳＢ１，ＤＳＢ２を生成する場合を示す。


【手続補正２１】
【補正対象書類名】明細書
【補正対象項目名】００５３
【補正方法】変更
【補正の内容】
【００５３】
すなわち、カウンター部２３は、シンクバイト検出信号ＣＳＢ１に基づいて、データ処理部１９への記録データＤＡＴＡ１の入力に同期してＨレベルとなるデスクランブラ信号ＤＳＢ１を生成して、データ処理部１９に出力し、第二のシンクバイト検出信号ＣＳＢ２に基づいて、データ処理部１９への記録データＤＡＴＡ２の入力に同期してＨレベルとなるデスクランブラ信号ＤＳＢ２を生成して、データ処理部１９に出力するように構成する。


【手続補正２２】
【補正対象書類名】明細書
【補正対象項目名】００５５
【補正方法】変更
【補正の内容】
【００５５】
このような構成により、第一及び第二のシンクバイト検出信号ＣＳＢ１，ＣＳＢ２に基づいて、データ処理部１９による記録データＤＡＴＡ１，ＤＡＴＡ２のデスクランブル動作を制御することができる。